(57)【特許請求の範囲】
【請求項１】
外部から含塵空気を吸入する吸込口体と、
吸気を発生させる電動送風機を配置する掃除機本体と、
前記吸込口体と前記電動送風機との間で前記掃除機本体とは別に設けられ、前記電動送風機側を向いて前記吸込口体から吸い込まれた含塵空気が流れ込む流入口、前記流入口から吸い込まれた含塵空気を旋回させる旋回室、前記旋回室によって分離した塵埃を捕集するダストケース、を備えたサイクロン部を少なくとも一つ以上備えたサイクロン集塵ユニットと、
前記サイクロン集塵ユニットとは別体として形成され、前記掃除機本体に設けられ、前記サイクロン集塵ユニットが前記掃除機本体に設置された際に一方が前記流入口と接続され、前記吸込口体から流れる含塵空気を前記サイクロン集塵ユニットに吸入するための流路を形成する吸入風路と
を備え、
前記吸入風路は、前記サイクロン集塵ユニットの下部に設置されていることを特徴とする電気掃除機。
【請求項２】
前記吸入風路は、前記サイクロン集塵ユニットの幅に収まるように設置されていることを特徴とする請求項１に記載の電気掃除機。
【請求項３】
前記吸入風路の前記吸入口体側は、前記サイクロン集塵ユニットの幅の略中央に位置するように設置されていることを特徴とする請求項１又は請求項２に記載の電気掃除機。
【請求項４】
前記掃除機本体は、前記電動送風機とコンセントとを接続するコードを前記掃除機本体に巻き取って収納するためのコードリールを備え、
前記吸入風路は、前記電動送風機と前記コードリールとを避けて設けられていることを特徴とする請求項１〜請求項３のいずれかに記載の電気掃除機。
【請求項５】
前記サイクロン集塵ユニットは、少なくとも二つ以上のサイクロン部を備え、
前記少なくとも二つ以上のサイクロン部のうちの前記吸入風路に接続される側のサイクロン部の幅が、前記サイクロン集塵ユニットの幅より小さいことを特徴とする請求項１〜請求項４のいずれかに記載の電気掃除機。
【発明の詳細な説明】
【技術分野】
【０００１】
本発明は、吸引される塵埃を含んだ空気を旋回させ、空気と塵埃を分離し捕集するサイクロン集塵ユニットを備えた電気掃除機に関するものである。
【背景技術】
【０００２】
従来の電気掃除機は、電気掃除機に吸引された空気と塵埃を、集塵フィルタや集塵袋に通過させることによって、空気中の塵埃を回収する構造となっていた。しかし、上述したような電気掃除機は、定期的に集塵袋を購入して準備する必要があり、使用者にとって不便であるという問題があった。
【０００３】
このような問題に対し、消耗品の集塵袋を使用せずに、遠心力や慣性力を利用して空気と塵埃を分離し、ゴミを捕集することが可能なサイクロン集塵ユニットを搭載した電気掃除機が提案されている。このようなサイクロン集塵ユニットを搭載した電気掃除機として、例えば、同心円状に設けられた二つのサイクロンを直列に連通させて設けることにより、サイクロン集塵ユニットの分離性能を高効率化させたものが提案されている(例えば、特許文献１参照)。
【先行技術文献】
【特許文献】
【０００４】
【特許文献１】特公昭６２−５０１４１号公報（図２）
【発明の概要】
【発明が解決しようとする課題】
【０００５】
しかしながら、上記の特許文献１のサイクロン集塵ユニットによれば、複数のサイクロンを直列に接続することによりサイクロン集塵ユニットの分離性能を高効率化することができるが、サイクロンによって分離捕集された塵埃の集積部に空気が流れ込み、これによって一度集塵部に捕集した塵埃が再飛散してしまいサイクロンの分離性能が低下するという課題があった。また、二つのサイクロンを同心円状に配置しているのでその形状は大きくなり、該サイクロンを搭載した電気掃除機もやはり大きくなってしまい、使用者の操作性が低下するという課題があった。
【０００６】
本発明は、上述のような課題を解決するためになされたものであり、本体をコンパクトに構成すると共に、高い分離性能を得ることができるサイクロン集塵ユニットを搭載した電気掃除機を提供することを目的とするものである。
【課題を解決するための手段】
【０００７】
本発明に係る電気掃除機は、外部から含塵空気を吸入する吸込口体と、吸気を発生させる電動送風機を配置する掃除機本体と、前記吸込口体と前記電動送風機との間で前記掃除機本体とは別に設けられ、前記電動送風機側を向いて前記吸込口体から吸い込まれた含塵空気が流れ込む流入口、前記流入口から吸い込まれた含塵空気を旋回させる旋回室、前記旋回室によって分離した塵埃を捕集するダストケース、を備えたサイクロン部を少なくとも一つ以上備えたサイクロン集塵ユニットと、前記サイクロン集塵ユニットとは別体として形成され、前記掃除機本体に設けられ、前記サイクロン集塵ユニットが前記掃除機本体に設置された際に一方が前記流入口と接続され、前記吸込口体から流れる含塵空気を前記サイクロン集塵ユニットに吸入するための流路を形成する吸入風路とを備え、前記吸入風路は、前記サイクロン集塵ユニットの下部に設置されているものである。
【発明の効果】
【０００８】
本発明に係る電気掃除機によれば、サイクロン集塵ユニットによって掃除機本体が大きくなることを抑えながら一度捕集した塵埃が再飛散することを抑制することができ、これにより本体をコンパクトに構成しながら分離性能の高いサイクロン集塵ユニットを得ることができる。
【図面の簡単な説明】
【０００９】
【図１】本発明の実施の形態１に係る電気掃除機の外観斜視図。
【図２】本発明の実施の形態１に係る電気掃除機の上面図。
【図３】本発明の実施の形態１に係る電気掃除機のａ−ａ断面概略図。
【図４】本発明の実施の形態１に係る電気掃除機のｂ−ｂ断面概略図。
【図５】本発明の実施の形態１に係るサイクロン集塵ユニットの斜視図。
【図６】本発明の実施の形態１に係るサイクロン集塵ユニットの前面図。
【図７】本発明の実施の形態１に係るサイクロン集塵ユニットの背面図。
【図８】本発明の実施の形態１に係るサイクロン集塵ユニットの上面図。
【図９】本発明の実施の形態１に係るサイクロン集塵ユニットのＡ−Ａ矢視断面図。
【図１０】本発明の実施の形態１に係るサイクロン集塵ユニットのＢ−Ｂ矢視断面図。
【図１１】本発明の実施の形態１に係るサイクロン集塵ユニットのＤ−Ｄ矢視断面図。
【図１２】本発明の実施の形態１に係るサイクロン集塵ユニットのＥ−Ｅ矢視断面図。
【図１３】本発明の実施の形態１とは別形状のサイクロン集塵ユニットのＣ−Ｃ矢視断面図。
【図１４】本発明の実施の形態１とは別形状のサイクロン集塵ユニットの分解図。
【図１５】本発明の実施の形態１に係る側部ダストケース形状と捕集率の関係図。
【図１６】本発明の実施の形態２に係るサイクロン集塵ユニットのＥ−Ｅ矢視断面図。
【図１７】本発明の実施の形態３に係るサイクロン集塵ユニットのＥ−Ｅ矢視断面図。
【発明を実施するための形態】
【００１０】
実施の形態１．
以下、本発明の実施の形態１について、図１〜１５を用いて説明する。
図１は本発明の実施の形態１に係る電気掃除機の外観斜視図であり、図２は本発明の実施の形態１に係る電気掃除機の上面図であり、図３は本発明の実施の形態１に係る電気掃除機のａ−ａ断面概略図であり、図４は本発明の実施の形態１に係る電気掃除機のｂ−ｂ断面概略図である。
【００１１】
図１に示すように、電気掃除機１００は、吸込口体１と、吸引パイプ２と、接続パイプ３と、ホース４と、サイクロン集塵ユニット１０１を搭載した掃除機本体５とから構成されている。吸込口体１から吸引された塵埃を含む空気は、吸引パイプ２、接続パイプ３、ホース４と順次経由して掃除機本体５に吸引される。吸引パイプ２は、一端を吸込口体１に、他端を接続パイプ３に接続されており、真直な円筒状のパイプで構成されている。接続パイプ３は、一端を吸引パイプ２に、他端をホース４に接続されており、その一部に掃除機の使用者が持つ取っ手３ａが設けられている。ホース４は、一端を接続パイプ３に、他端を掃除機本体５に接続されており、可撓性を有する蛇腹状のホースで構成されている。また、掃除機本体５には、車輪６と、掃除機本体５内から外へ排出する排気口７が設けられている。
【００１２】
次に、図２〜４を用いて掃除機本体５内の構成について説明する。
掃除機本体５は、図２に示すように、ホース４から流れてくる塵埃を含む空気をサイクロン集塵ユニット１０１に接続する吸入風路８と、サイクロン集塵ユニット１０１によって塵埃を除去された空気を排出する排気風路９が設けられている。排気風路９へ排出された空気は、図３に示すように、サイクロン集塵ユニット１０１で捕集できなかった微細な塵埃を除去するフィルタ１０を通過した後、電動送風機１１に吸引される。電動送風機１１に吸引された空気は、排気口７から掃除機本体５の外へ排出される。なお、掃除機本体５の高さをＨと定義する。なお、掃除機本体５の縦断面を見ると、図４に示すように、吸入風路８が、サイクロン集塵ユニット１０１の下に、電動送風機１１、コードリール１２を避けて設けられているのがわかる。これにより、掃除機本体５の高さＨが高くなるのを抑制しながら、サイクロン集塵ユニット１０１に塵埃を含んだ空気を供給できるようにしている。なおコードリール１２は、電動送風機１１と家庭内のコンセントを接続するコードを掃除機本体５内に巻き取って収納するものである。
【００１３】
次に、サイクロン集塵ユニット１０１について、図５〜図１６を用いて説明する。
図５は本発明の実施の形態１に係るサイクロン集塵ユニット１０１の斜視図であり、図６は本発明の実施の形態１に係るサイクロン集塵ユニット１０１の前面図であり、図７は本発明の実施の形態１に係るサイクロン集塵ユニット１０１の背面図であり、図８は本発明の実施の形態１に係るサイクロン集塵ユニット１０１の上面図である。
【００１４】
図５〜８に示すように、サイクロン集塵ユニット１０１は、上流側に配置される第一サイクロン２０と、この第一サイクロン２０と並設され、第一サイクロン２０の下流側に配置される第二サイクロン３０とで構成されている。
第一サイクロン２０は、吸入風路８から塵埃を含んだ空気を取り込む第一流入口２１と、第一流入口２１と略接線方向に接続し第一流入口２１から流入した塵埃を含む空気を内部で旋回させる第一旋回室２２と、第一旋回室２２の側方に設けられた側部ダストケース２３と、第一旋回室２２の下方に設けられた第一ダストケース２４とで構成されている。側部ダストケース２３は、第一旋回室２２の略長手方向の中間位置の壁面に設けられた側部開口部２５によって第一旋回室２２と連通している。側部開口部２５は、第一旋回室２２の壁面うち、第二サイクロン３０から離れた側に設けられている。
また、第二サイクロン３０は、第一サイクロン２０と連通する中間風路３１と、中間風路３１から第一サイクロン２０を通過した塵埃を含んだ空気を取り込む第二流入口３２と、第二流入口３２と略接線方向に接続し流入した塵埃を含む空気を内部で旋回させる第二旋回室３３と、第二旋回室３３の下方に設けられた第二ダストケース３４と、排気風路９と連通し第二旋回室３３にて塵埃を除去された空気を排出する第二排出口３５で構成されている。
【００１５】
ここで、側部ダストケース２３は、図８に示すように、第一サイクロン２０及び第二サイクロン３０の側方に設置されており、側部ダストケース２３の幅Ｌ１は、第一サイクロン２０と第二サイクロン３０を合わせた幅Ｌ２よりも小さくなるように構成されている。これにより、サイクロン集塵ユニット１０１をコンパクトに構成することが出来る。また、側部ダストケース２３の幅Ｌ１は、第一サイクロン２０と第二サイクロン３０を合わせた幅Ｌ２と略同一の大きさに構成している。これにより、側部ダストケース２３の幅Ｌ１を大きくすることができるので、集塵容量を増やすことが出来る。また、これらに加えて、側部開口部２５を第一旋回室２２の壁面うち第二サイクロン３０から離れた側に設けることにより、側部開口部２５から側部ダストケース２３に入ってくる気流が、側部ダストケース２３奥まで流入して側部ダストケース２３に蓄積された塵埃を再飛散させ、これによりサイクロン集塵ユニット１０１の分離性能が低下するのを抑制することが出来る。
また、本形状は電気掃除機への搭載方法により異なるため、特に限定するものではないが、第一サイクロン２０の直径をＤとすると、如何なる場合においてもＤ１≦Ｌ１≦Ｌ２とすることにより、サイクロン集塵ユニット１０１をコンパクトに構成することが出来る。
【００１６】
ここで、第一ダストケース２４、第二ダストケース３４は、一つのケースの中に仕切り板４０を設けて第一ダストケース２４、第二ダストケース３４を形成している。また、側部ダストケース２３、第一ダストケース２４、第二ダストケース３４は、一つの蓋４１にて下方を開口することが可能なように構成されており、蓋４１を開口することにより全てのダストケースに捕集された塵埃を一度の操作で廃棄することができる。これにより、使用者が塵埃の廃棄にかかる手間を低減することができる。
【００１７】
次に、サイクロン集塵ユニット１０１の内部構成について、図９〜図１２を用いて説明する。
図９は本発明の実施の形態１に係るサイクロン集塵ユニット１０１のＡ−Ａ矢視断面図であり、図１０は本発明の実施の形態１に係るサイクロン集塵ユニット１０１のＢ−Ｂ矢視断面図であり、図１１は本発明の実施の形態１に係るサイクロン集塵ユニット１０１のＤ−Ｄ矢視断面図であり、図１２は本発明の実施の形態１に係るサイクロン集塵ユニット１０１のＥ−Ｅ矢視断面図である。
【００１８】
第一サイクロン２０は、図９に示すように、第一旋回室２２と側部ダストケース２３は、第一旋回室２２の略長手方向の中間位置の壁面に設けられた側部開口部２５にて連通している。また、第一旋回室２２と第一ダストケース２４は、第一旋回室２２の下方に設けられた第一開口部２６にて連通している。また、第一旋回室２２と中間風路３１は、第一旋回室２２の上方で且つ第一旋回室２２と略同心円上に設けられた第一排出口２７にて連通しており、第一排出口２７の上流側には、排気口体となる側面に複数の開口を有する第一排気筒２８が第一旋回室２２内に突出して設けられている。ここで、第一排気筒２８は、略円錐状に形成された円錐部２８ａと、円筒状に形成された円筒部２８ｂで構成されており、第一排出口２７から最初に円筒部２８ｂが突出し、円筒部２８ｂの先に円錐部２８ａが突出しているよう構成されている。また、第一旋回室２２は、円筒部分と円錐部分が組み合わさった形状となっている。
【００１９】
第二サイクロン３０は、図１０に示すように、第一サイクロン２０にてある程度塵埃を除去された含塵空気が吸い込まれる第二流入口３２が第二旋回室３３の上方に設けられ、第二旋回室３３と第二ダストケース３４は、第二旋回室３３の下方に設けられた第二開口部３６にて連通している。また、第二旋回室３３と排気風路９は、第二旋回室３３の上方で且つ第二旋回室３３と略同心円上に設けられた第二排出口３５にて連通しており、第二排出口３５の上流側には、排気口体となる円筒状の第二排気筒３７が第二旋回室３３内に突出して設けられている。ここで、第二排気筒３７は、側壁に孔を持たず、両端が開口した円筒状に構成されている。また、第二旋回室３３は、円筒部分と円錐部分が組み合わさった形状となっている。
【００２０】
また、図１２に示すように、側部ダストケース２３は、第一サイクロン２０及び第二サイクロン３０に隣接する本体側壁面２３ａと、本体側壁面２３ａと対向して在る外側壁面２３ｂと、第一サイクロン２０側で本体側壁面２３ａと外側壁面２３ｂを繋ぐ第一壁面２３ｃと、第二サイクロン３０側で本体側壁面２３ａと外側壁面２３ｂを繋ぐ第二壁面２３ｄとで構成されている。ここで、外側壁面２３ｂと第一壁面２３ｃとで成す角２３ｅは、円弧で接続されるよう構成されており、側部開口部２５から第一壁面２３ｃに添って流入する塵埃は、スムーズに側部ダストケース２３奥（つまりは第二壁面２３ｄ側）へ投入される。このような構成にすることにより、塵埃が側部ダストケース２３奥まで蓄積されるので、側部ダストケース２３内に効率よく塵埃を捕集することができる。また、側部ダストケース２３奥から塵埃が蓄積するので、側部開口部２５から側部ダストケース２３内に入ってくる気流により側部ダストケース２３内に蓄積した塵埃が再飛散するのを抑制することが出来る。
また、角２３ｅの角度θを９０°以上にすることによっても、上記と同様に、塵埃が側部ダストケース２３奥まで蓄積されるので、側部ダストケース２３内に効率よく塵埃を捕集することができる。また、側部ダストケース２３奥から塵埃が蓄積するので、側部開口部２５から側部ダストケース２３内に入ってくる気流により側部ダストケース２３内に蓄積した塵埃が再飛散するのを抑制することが出来る。
【００２１】
また、サイクロン集塵ユニット１０１に搭載される側部ダストケース２３の厚みＴを薄く構成することにより、掃除機本体５の高さＨを抑制することができ、これにより掃除機本体５をコンパクトにすることが出来る。
【００２２】
ここで、第一旋回室２２及び第一開口部２６において、実施の形態１と異なる形状を図１３に示す。図１３は本発明の実施の形態１とは別形状のサイクロン集塵ユニット１０１のＣ−Ｃ矢視断面図であり、図１４は本発明の実施の形態１とは別形状のサイクロン集塵ユニット１０１の分解図である。
図１３、図１４に示すように、第一旋回室２２の円錐部を第一ダストケース２４内まで突出させ、その先に第一開口部２６を形成するように構成しても良い。
【００２３】
次に、実施の形態１に係る電気掃除機の動作について説明する。
取っ手３ａに設けられた図示しないスイッチを押すと、電動送風機１１の駆動が開始され、吸込口体１から床面の塵埃及びその周囲の空気を吸引し、吸引された含塵空気は吸引パイプ２、接続パイプ３、ホース４を経由して、掃除機本体５の吸入風路８に到達する。吸入風路８に到達した含塵空気はその後、サイクロン集塵ユニット１０１によって塵埃を除去され、サイクロン集塵ユニット１０１から排出した空気は排気風路９、フィルタ１０を経由して、電動送風機１１に吸引される。その後、電動送風機１１から排出された空気は、排気口から掃除機本体５の外へ排出される。
【００２４】
次に、サイクロン集塵ユニット１０１内での動作について説明する。
第一流入口２１から第一旋回室２２に流入した含塵空気は、第一旋回室２２内で旋回することにより空気と塵埃が分離し、含塵空気に含まれる塵埃のうち、比較的表面積が大きく空気抵抗の作用が大きな塵埃（以降，塵埃Ａと呼ぶ）は、第一旋回室２２の側壁に設けられた側部開口部２５から側部ダストケース２３に捕集される。このとき、側部開口部２５から側部ダストケース２３に流入した塵埃は、側部ダストケース２３内の側部開口部２５の対向する位置から順次蓄積していく。また、比較的表面積が小さく空気抵抗の作用が小さな塵埃（以降，塵埃Ｂと呼ぶ）は、第一旋回室２２の下方に設けられた第一開口部２６から第一ダストケース２４に捕集される。一方、第一旋回室２２内で旋回によって空気と分離できなかった表面積がごく微小であり空気抵抗の作用がごく微小な塵埃（以降，塵埃Ｃと呼ぶ）は、空気と一緒に第一排気筒２８に壁面に設けられた孔を通過して中間風路３１に排出される。
【００２５】
中間風路３１を流れる塵埃Ｃを含んだ含塵空気は、第二流入口３２から第二旋回室３３に流入し、第二旋回室３３内で旋回することにより空気と塵埃Ｃが分離し、分離した塵埃Ｃは、第二旋回室３３の下方に設けられた第二開口部３６から第二ダストケース３４に捕集される。
ここで、第二サイクロン３０は、第一サイクロン２０と比較して、分離性能が高くなるように構成されている。例えば、第一サイクロン２０は、含塵空気内に多様な種類の塵埃が含まれているので、これを効率よく捕集するために側部ダストケース２３を備えている。しかし、第二サイクロン３０は、含塵空気内に微小な塵埃Ｃしか含まれていないので、第二旋回室３３内の旋回が強くなるような構成となっている。
【００２６】
次に、側部ダストケース２３の捕集率と捕集容量について説明する。図１５は、本発明の実施の形態１に係る側部ダストケース形状と捕集率の関係図である。
図１５は、側部ダストケース２３の幅Ｌ１と高さ、及び側部開口部２５の形状を所定の形から変更せず、側部ダストケース２３の厚さＴを変更した時の側部ダストケース２３が塵埃Ａを捕集できる確率（捕集率）を示したものである。
【００２７】
図１５に示すように、側部ダストケース２３の厚さＴが最適厚みｍを取るとき、塵埃Ａの捕集率は最大となる。家庭用電気掃除機を対象と考えた場合、塵埃Ａには硬貨や紙切れ等大きなゴミが含まれる。従って、厚さＴが小さすぎると捕集することが困難な塵埃Ａが増加するため捕集性能は低下する。逆に、厚さＴが大きすぎると、側部ダストケース２３に入り込む空気量が増加し、側部ダストケース２３内にて気流の旋回が発生するため、再飛散が増加し、捕集率が低下する。また、掃除機本体５の高さＨが高くなるため、厚さＴは可能な限り薄い方が良い。従って、厚さＴは最適厚みｍとするのがよい。なお、一般家庭に存在し、かつ電気掃除機で吸引する塵埃Ａのサイズから、最適厚みｍは２０ｍｍ前後に存在することが分かっている。
【００２８】
また、側部ダストケース２３の幅Ｌ１が短いと、側部ダストケース２３内に入り込む空気量が多くなり、側部ダストケース２３内に旋回流が発生し、再飛散が増加する。特に、側部ダストケース２３の幅Ｌ１が第一サイクロン２０の最大直径Ｄよりも小さくなると、側部ダストケース２３内に流れ込む空気量が大幅に増加する。そのため、側部ダストケース２３の形状は、捕集率に影響が無い範囲の厚さＴを確保した上で、幅Ｌ１を広げると良い。これにより、側部ダストケース２３の捕集性能が向上する共に、捕集容量も増加することが出来る。なお、側部ダストケース２３の幅Ｌ１は、サイクロン集塵ユニット１０１の幅Ｌ２を超えてしまうと、掃除機本体５のサイズが大きくなってしまい、掃除機の操作性が悪くなる。従って、側部ダストケース２３の幅Ｌ１は、掃除機本体５の操作性も加味して、Ｄ１≦Ｌ１≦Ｌ２を満たすことが望ましい。
【００２９】
また、側部開口部２５は、第一旋回室２２の側壁のうち、第二サイクロン３０から離れた側に設けると良い。上記構成にすることにより、側部開口部２５から側部ダストケース２３に流入した塵埃は、側部ダストケース２３の第一壁面２３ｃ付近から投入されることとなる。これにより、側部ダストケース２３内の第二壁面２３ｄ側から塵埃が蓄積するので、蓄積された塵埃と側部開口部２５が大きく離れるので、側部ダストケース２３内に流れ込んだ空気による塵埃の再飛散を抑制することが出来る。
【００３０】
また、角２３ｅの角度θを９０°以上の鈍角にすることによって、側部ダストケース２３に流入した塵埃が、スムーズに第二壁面２３ｄ側まで搬送することができ、蓄積された塵埃と側部開口部２５が大きく離れるので、側部ダストケース２３内に流れ込んだ空気による塵埃の再飛散を抑制することが出来る。逆に角２３ｅの角度θを９０°よりも小さい鋭角にすると、側部ダストケース２３内に流れ込んだ塵埃が角２３ｅ付近で停滞し蓄積していくので、側部ダストケース２３の捕集性能が低下すると共に、側部ダストケース２３内の全体に塵埃を捕集することができなくなるので捕集量も低下する。
【００３１】
上記の様なサイクロン集塵ユニット１０１の構成をそれぞれ採用することにより、掃除機本体５をコンパクトに構成しつつ、高い捕集性能を得ることができる。
【００３２】
実施の形態２．
本発明の実施の形態２に係る電気掃除機は、側部ダストケース２３及び吸入風路８の構成が実施の形態１と相違するものであり、その他の構成については上記の実施の形態１と同じである。以下、相違点を中心に説明する。また、実施の形態１と同じ部分にはこれと同じ符号を付して、一部の説明を省略する。
【００３３】
図１６は、本発明の実施の形態２に係るサイクロン部のＥ−Ｅ矢視断面図である。
図１６は、側部ダストケース２３のうち、外側壁面２３ｂと第一壁面２３ｃとで成す角２３ｅの角度θを９０°以上の鈍角にし、吸入風路８を第一サイクロン２０の下方で且つ側部ダストケース２３の側方に設けたものである。ここで、側部ダストケース２３の幅Ｌ１、第一サイクロン２０と第二サイクロン３０を合わせた幅Ｌ２、第一サイクロン２０の直径Ｄとすると、Ｄ＜Ｌ１＜Ｌ２の関係を有している。また、吸入風路８は、第一サイクロン２０と第二サイクロン３０を合わせた幅Ｌ２内に入るよう構成されている。
【００３４】
上記のような構成にすることにより、掃除機本体５の高さＨを大きくすることなく、掃除機本体５内の電動送風機１１やコードリール１２の設置自由度を高めることが出来る。
【００３５】
実施の形態３．
本発明の実施の形態３に係る電気掃除機は、サイクロン集塵ユニット１０１の設置方向及び吸入風路８の構成が実施の形態２と相違するものであり、その他の構成については上記の実施の形態２と同じである。以下、相違点を中心に説明する。また、実施の形態１及び実施の形態２と同じ部分にはこれと同じ符号を付して、一部の説明を省略する。
【００３６】
図１７は、本発明の実施の形態３に係るサイクロン部のＥ−Ｅ矢視断面図である。
図１７は、サイクロン集塵ユニット１０１の側部ダストケース２３を上方にするように掃除機本体５に搭載したものであり、さらに吸入風路８を第一サイクロン２０と第二サイクロン３０の下方で且つ第一サイクロン２０と第二サイクロン３０の間に設けたものである。
【００３７】
電気掃除機は一般的に、ホース４は掃除機本体５の略中心位置に接続することにより、掃除機本体５を引っ張った時に安定的に進むことができるものである。したがって、前述の実施の形態２のような構成では、吸入風路８が掃除機本体５の略中心に設置されていないため、掃除機本体５の操作性が悪くなるという課題があった。また、ホース４と掃除機本体５の接続を掃除機本体５の略中心に設けようとする場合、吸入風路８を少なくとも３回は曲げる必要があり、これによって吸入風路８自身の圧損が大きくなるという課題があった。
そこで、実施の形態３では、上記のような構成にすることにより、掃除機本体５の高さＨを大きくすることなく、掃除機本体５内の電動送風機１１やコードリール１２の設置自由度を高めることが出来ると共に、掃除機本体５の操作性を維持しつつ吸入風路８自身の圧損を低減することが出来る。
なお、実施の形態３におけるサイクロン集塵ユニット１０１の設置方向を、側部ダストケース２３が下方になるように搭載しても良いが、その際は吸入風路８を取り外しできるように構成すればサイクロン集塵ユニット１０１を掃除機本体５から取り外すことが可能となり、実施の形態３と同様の効果を得ることが出来る。
【符号の説明】
【００３８】
１  吸込口体、２  吸引パイプ、３  接続パイプ、３ａ  取っ手、４  ホース、６  車輪、７  排気口、８  吸入風路、９  排気風路、１０  フィルタ、１１  電動送風機、１２  コードリール、２０  第一サイクロン、２１  第一流入口、２２  第一旋回室、２３  側部ダストケース、２３ａ  本体側壁面、２３ｂ  外側壁面、２３ｃ  第一壁面、２３ｄ  第二壁面、２３ｅ  角、２４  １次ダストケース、２５  側部開口部、２６  第一開口部、２７  第一排出口、２８  第一排気筒、２８ａ  円錐部、２８ｂ  円筒部、３０  第二サイクロン、３１  中間風路、３２  第二流入口、３３  第二旋回室、３４  第二ダストケース、３５  第二排出口、３６  第二開口部、３７  第二排気筒、４０  仕切り板、４１  蓋、１００  電気掃除機、１０１  サイクロン集塵ユニット
【図１】
0005472363.tif 000002
【図２】
0005472363.tif 000003
【図３】
0005472363.tif 000004
【図４】
0005472363.tif 000005
【図５】
0005472363.tif 000006
【図６】
0005472363.tif 000007
【図７】
0005472363.tif 000008
【図８】
0005472363.tif 000009
【図９】
0005472363.tif 000010
【図１０】
0005472363.tif 000011
【図１１】
0005472363.tif 000012
【図１２】
0005472363.tif 000013
【図１３】
0005472363.tif 000014
【図１４】
0005472363.tif 000015
【図１５】
0005472363.tif 000016
【図１６】
0005472363.tif 000017
【図１７】
0005472363.tif 000018